(57)【要約】【課題】消費電力を低減することができる、告知放送受信機を提供すること。【解決手段】告知放送受信機１は、告知放送信号を図示しない伝送線路を介して受信して放送する告知放送受信機１であって、告知放送信号に対して受信処理及び出力処理を含む所定処理を行う告知放送系統１０と、告知放送系統１０に含まれる複数の部品の少なくとも一部の電源を遮断する電源遮断制御を行う電源遮断制御部６１であって、電源遮断制御を行うための所定条件が充足したか否かを、告知放送系統１０にて受信された告知放送信号、又は、告知放送系統１０に関する所定操作に基づいて判定し、当該所定条件が充足した場合に電源遮断制御を行う電源遮断制御部６１と、を備えている。【選択図】図１
2015228706.tif 000002
【特許請求の範囲】
【請求項１】
告知放送信号を伝送線路を介して受信し、及び、告知放送信号とは異なる信号を受信して、放送する告知放送受信機であって、
前記告知放送信号に対して受信処理及び出力処理を含む所定処理を行う告知放送系統であって、前記告知放送信号を含む信号が入力される第１入力手段を含む告知放送系統と、
前記告知放送信号とは異なる信号に対して受信処理及び出力処理を含む所定処理を行う放送系統であって、前記告知放送信号が入力されず前記告知放送信号とは異なる信号が入力される第２入力手段を含む第２放送系統と、
音声を出力する音声出力手段と、
前記第１入力手段に入力されて前記告知放送系統にて受信された前記告知放送信号、又は、前記告知放送系統若しくは前記第２放送系統に関する所定操作に基づいて、
前記告知放送系統又は前記第２放送系統のいずれか一方を前記音声出力手段に対して選択的に切り替える切替手段と、
前記告知放送系統に含まれる複数の部品の少なくとも一部の電源を遮断する電源遮断制御を行う電源遮断制御手段であって、前記電源遮断制御を行うための所定条件が充足したか否かを、前記第１入力手段に入力されて前記告知放送系統にて受信された前記告知放送信号、又は、前記告知放送系統に関する所定操作に基づいて判定し、当該所定条件が充足した場合に前記電源遮断制御を行う電源遮断制御手段と、を備え、
前記第１入力手段に入力されて前記告知放送系統にて受信された前記告知放送信号に基づく放送を前記告知放送受信機ができない場合、前記電源遮断制御手段は、前記所定条件が充足したものとして、前記電源遮断制御を行い、且つ、前記第２入力手段に入力されて前記第２放送系統にて受信された前記告知放送信号とは異なる信号に基づく放送を行うべく、前記第２放送系統を前記音声出力手段に対して切り替えるように、前記切替手段を制御する、
告知放送受信機。
【請求項２】
前記第２放送系統の電源のみをＯＮ、前記告知放送系統の電源のみをＯＮ、又は、前記告知放送系統と前記第２放送系統との電源をＯＮに切り替える電源切替手段を備え、
前記電源遮断制御手段は、
前記電源切替手段によって前記第２放送系統の電源のみがＯＮに切り替えられた場合に、前記電源遮断制御を行い、
前記電源切替手段によって前記告知放送系統の電源のみがＯＮに切り替えられた場合に、前記第２放送系統に含まれる複数の部品の少なくとも一部の電源を遮断する、
請求項１に記載の告知放送受信機。
【請求項３】
前記告知放送系統は、
前記告知放送系統に含まれる複数の部品の一部であって、前記電源遮断制御手段によって電源遮断制御の対象となる部品よりも上段側において前記告知放送信号のレベルを測定するレベル測定手段を有し、
前記電源遮断制御手段は、
前記レベル測定手段にて測定された前記告知放送信号のレベルが所定値よりも下回った場合に、前記電源遮断制御を行う、
請求項１に記載の告知放送受信機。
【請求項４】
前記告知放送系統は、
前記告知放送系統に含まれる複数の部品の一部であって、前記電源遮断制御手段によって電源遮断制御の対象となる部品よりも上段側において前記告知放送信号のレベルを測定するレベル測定手段と、
前記告知放送信号の受信状態を表示する表示手段と、を有し、
前記電源遮断制御手段は、
前記電源切替手段によって前記第２放送系統の電源のみがＯＮに切り替えられている場合において、前記レベル測定手段にて測定された前記告知放送信号のレベルが所定値以上となった場合に、前記表示手段によって、前記告知放送信号を受信している旨を表示させる、
請求項２に記載の告知放送受信機。
【請求項５】
前記告知放送系統は、
前記告知放送系統に含まれる複数の部品の一部であって、前記電源遮断制御手段によって電源遮断制御の対象となる部品よりも下段側において前記告知放送信号の電界強度を測定する電界強度測定手段を有し、
前記電源遮断制御手段は、
前記電界強度測定手段にて測定された前記告知放送信号の電界強度が所定値よりも下回った場合に、前記電源遮断制御を断続的に行い、
当該電源遮断制御手段によって前記電源遮断制御の対象となる部品の電源が断続的に遮断されている場合において、前記電界強度測定手段にて測定された前記告知放送信号の電界強度が所定値以上となった場合に、当該電源遮断制御の対象となる部品の電源をＯＮ状態に復帰させる、
請求項１に記載の告知放送受信機。
【請求項６】
前記告知放送系統は、
当該告知放送受信機と前記伝送線路とが接続状態であるか否かを検知する検知手段を有し、
前記電源遮断制御手段は、
前記検知手段により当該告知放送受信機と前記伝送線路とが接続状態でないと検知された場合に、前記電源遮断制御を行う、
請求項１に記載の告知放送受信機。
【発明の詳細な説明】
【技術分野】
【０００１】
本発明は、告知放送を受信する告知放送受信機に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震等の災害が発生した時の緊急放送を行う際、センター装置は告知放送信号を伝送線路を介して送信し、この告知放送信号を受信機が受信して、告知放送をスピーカにて出力する（例えば、特許文献１参照）。
【先行技術文献】
【特許文献】
【０００３】
【特許文献１】特開平９−８７５３号公報
【発明の概要】
【発明が解決しようとする課題】
【０００４】
ここで、上述した従来の告知放送システムにおける受信機は、省エネルギー化を図る上で改善の余地があった。具体的には、この受信機においては、当該受信機に備えられているすべての部品に対して電力が常時供給される。そのため、例えば停電時においても、上記すべての部品に対して電力が供給されることから、この受信機に備えられているバックアップ用電源（例えば電池等）の待機時間が短くなるという問題が生じていた。
【０００５】
本発明は、上記に鑑みてなされたものであって、消費電力を低減することができる、告知放送受信機を提供することを目的とする。
【課題を解決するための手段】
【０００６】
上述した課題を解決し、目的を達成するために、請求項１に記載の告知放送受信機は、告知放送信号を伝送線路を介して受信し、及び、告知放送信号とは異なる信号を受信して、放送する告知放送受信機であって、前記告知放送信号に対して受信処理及び出力処理を含む所定処理を行う告知放送系統であって、前記告知放送信号を含む信号が入力される第１入力手段を含む告知放送系統と、前記告知放送信号とは異なる信号に対して受信処理及び出力処理を含む所定処理を行う放送系統であって、前記告知放送信号が入力されず前記告知放送信号とは異なる信号が入力される第２入力手段を含む第２放送系統と、音声を出力する音声出力手段と、前記第１入力手段に入力されて前記告知放送系統にて受信された前記告知放送信号、又は、前記告知放送系統若しくは前記第２放送系統に関する所定操作に基づいて、前記告知放送系統又は前記第２放送系統のいずれか一方を前記音声出力手段に対して選択的に切り替える切替手段と、前記告知放送系統に含まれる複数の部品の少なくとも一部の電源を遮断する電源遮断制御を行う電源遮断制御手段であって、前記電源遮断制御を行うための所定条件が充足したか否かを、前記第１入力手段に入力されて前記告知放送系統にて受信された前記告知放送信号、又は、前記告知放送系統に関する所定操作に基づいて判定し、当該所定条件が充足した場合に前記電源遮断制御を行う電源遮断制御手段と、を備え、前記第１入力手段に入力されて前記告知放送系統にて受信された前記告知放送信号に基づく放送を前記告知放送受信機ができない場合、前記電源遮断制御手段は、前記所定条件が充足したものとして、前記電源遮断制御を行い、且つ、前記第２入力手段に入力されて前記第２放送系統にて受信された前記告知放送信号とは異なる信号に基づく放送を行うべく、前記第２放送系統を前記音声出力手段に対して切り替えるように、前記切替手段を制御する。
【０００７】
請求項２に記載の告知放送受信機は、請求項１に記載の告知放送受信機において、前記第２放送系統の電源のみをＯＮ、前記告知放送系統の電源のみをＯＮ、又は、前記告知放送系統と前記第２放送系統との電源をＯＮに切り替える電源切替手段を備え、前記電源遮断制御手段は、前記電源切替手段によって前記第２放送系統の電源のみがＯＮに切り替えられた場合に、前記電源遮断制御を行い、前記電源切替手段によって前記告知放送系統の電源のみがＯＮに切り替えられた場合に、前記第２放送系統に含まれる複数の部品の少なくとも一部の電源を遮断する。
【０００８】
請求項３に記載の告知放送受信機は、請求項１に記載の告知放送受信機において、前記告知放送系統は、前記告知放送系統に含まれる複数の部品の一部であって、前記電源遮断制御手段によって電源遮断制御の対象となる部品よりも上段側において前記告知放送信号のレベルを測定するレベル測定手段を有し、前記電源遮断制御手段は、前記レベル測定手段にて測定された前記告知放送信号のレベルが所定値よりも下回った場合に、前記電源遮断制御を行う。
【０００９】
請求項４に記載の告知放送受信機は、請求項２に記載の告知放送受信機において、前記告知放送系統は、前記告知放送系統に含まれる複数の部品の一部であって、前記電源遮断制御手段によって電源遮断制御の対象となる部品よりも上段側において前記告知放送信号のレベルを測定するレベル測定手段と、前記告知放送信号の受信状態を表示する表示手段と、を有し、前記電源遮断制御手段は、前記電源切替手段によって前記第２放送系統の電源のみがＯＮに切り替えられている場合において、前記レベル測定手段にて測定された前記告知放送信号のレベルが所定値以上となった場合に、前記表示手段によって、前記告知放送信号を受信している旨を表示させる。
【００１０】
請求項５に記載の告知放送受信機は、請求項１に記載の告知放送受信機において、前記告知放送系統は、前記告知放送系統に含まれる複数の部品の一部であって、前記電源遮断制御手段によって電源遮断制御の対象となる部品よりも下段側において前記告知放送信号の電界強度を測定する電界強度測定手段を有し、前記電源遮断制御手段は、前記電界強度測定手段にて測定された前記告知放送信号の電界強度が所定値よりも下回った場合に、前記電源遮断制御を断続的に行い、当該電源遮断制御手段によって前記電源遮断制御の対象となる部品の電源が断続的に遮断されている場合において、前記電界強度測定手段にて測定された前記告知放送信号の電界強度が所定値以上となった場合に、当該電源遮断制御の対象となる部品の電源をＯＮ状態に復帰させる。
【００１１】
請求項６に記載の告知放送受信機は、請求項１に記載の告知放送受信機において、前記告知放送系統は、当該告知放送受信機と前記伝送線路とが接続状態であるか否かを検知する検知手段を有し、前記電源遮断制御手段は、前記検知手段により当該告知放送受信機と前記伝送線路とが接続状態でないと検知された場合に、前記電源遮断制御を行う。
【発明の効果】
【００１２】
請求項１に記載の告知放送受信機によれば、電源遮断制御を行うための所定条件が充足したか否かを、告知放送系統にて受信された告知放送信号、又は、告知放送系統に関する所定操作に基づいて判定し、当該所定条件が充足した場合に電源遮断制御を行う電源遮断制御手段を備えたので、告知放送信号、又は告知放送系統に関する所定操作に応じて電源遮断制御を自動的に行うことができ、告知放送系統に含まれる複数の部品に対して電力が常時供給されている場合に比べて、消費電力を低減することができる。特に、停電時において電源遮断制御を行うことで、告知放送受信機のバックアップ電源の待機時間を長くすることができる。
また、告知放送系統にて受信された告知放送信号、又は、告知放送系統若しくは第２放送系統に関する所定操作に基づいて、告知放送系統又は第２放送系統のいずれか一方を音声出力手段に対して選択的に切り替える切替手段を備えたので、告知放送信号、又は、告知放送系統若しくは第２放送系統に関する所定操作に応じて告知放送系統又は第２放送系統の切り替えを自動的に行うことができ、使用性を向上させることができる。
【００１３】
また、請求項２に記載の告知放送受信機によれば、電源遮断制御手段は、電源切替手段によって第２放送系統の電源のみがＯＮに切り替えられた場合に、電源遮断制御を行い、電源切替手段によって告知放送系統の電源のみがＯＮに切り替えられた場合に、第２放送系統に含まれる複数の部品の少なくとも一部の電源を遮断するので、電源切替手段の切り替え操作に基づいて、告知放送系統に含まれる複数の部品の少なくとも一部の電源、又は第２放送系統に含まれる複数の部品の少なくとも一部の電源を遮断でき、ユーザのニーズに応じた電源遮断制御を行うことができる。
【００１４】
また、請求項３に記載の告知放送受信機によれば、告知放送系統は、電源遮断制御手段によって電源遮断制御の対象となる部品よりも上段側において告知放送信号のレベルを測定するレベル測定手段を有し、電源遮断制御手段は、レベル測定手段にて測定された告知放送信号のレベルが所定値よりも下回った場合に、電源遮断制御を行うので、レベル測定手段にて測定された告知放送信号のレベルに応じて電源遮断制御を自動的に行うことができ、消費電力を効果的に低減することができる。また、レベル測定手段による告知放送信号のレベル測定を継続できるので、レベル測定手段にて測定された告知放送信号のレベルが所定値以上となった場合に、電源遮断制御の対象となる部品の電源をＯＮ状態に復帰させることができる。そのため、電源遮断制御の対象となる部品の電源を復帰させるための特別な部品を設ける必要がないので、製造コストを低減することできる。
【００１５】
また、請求項４に記載の告知放送受信機によれば、電源遮断制御手段は、電源切替手段によって第２放送系統の電源のみがＯＮに切り替えられている場合において、レベル測定手段にて測定された告知放送信号のレベルが所定値以上となった場合に、表示手段によって、告知放送信号を受信している旨を表示させるので、第２放送系統の電源のみがＯＮされている場合において、ユーザに対して告知放送信号を受信している旨を提示でき、緊急放送等の聞き逃しを防止することができる。
【００１６】
また、請求項５に記載の告知放送受信機によれば、告知放送系統は、電源遮断制御手段によって電源遮断制御の対象となる部品よりも下段側において告知放送信号の電界強度を測定する電界強度測定手段を有し、電源遮断制御手段は、電界強度測定手段にて測定された告知放送信号の電界強度が所定値よりも下回った場合に、電源遮断制御を断続的に行うので、告知放送信号の電界強度に応じて電源遮断制御を自動的に行うことができ、消費電力を効果的に低減することができる。
また、電源遮断制御手段によって電源遮断制御の対象となる部品の電源が断続的に遮断されている場合において、電界強度測定手段にて測定された告知放送信号の電界強度が所定値以上となった場合に、電源遮断制御の対象となる部品の電源をＯＮ状態に復帰させるので、電界強度測定手段による告知放送信号の電界強度の測定を継続させながら、電源遮断制御の対象となる部品の電源を復帰させるための特別な部品を設けることなく、電源遮断制御の対象となる部品の電源を復帰させることができ、製造コストを低減することできる。
【００１７】
また、請求項６に記載の告知放送受信機によれば、電源遮断制御手段は、検知手段により告知放送受信機と伝送線路とが接続状態でないと検知された場合に、電源遮断制御を行うので、検知手段の検知結果に応じて電源遮断制御を自動的に行うことができ、伝送線路が告知放送受信機から取り外されている間は消費電力を効果的に低減することができる。
【図面の簡単な説明】
【００１８】
【図１】実施の形態１に係る告知放送システムの構成を示すブロック図である。
【図２】実施の形態２に係る告知放送システムの構成を示すブロック図である。
【図３】実施の形態３に係る告知放送システムの構成を示すブロック図である。
【図４】実施の形態４に係る告知放送システムの構成を示すブロック図である。
【図５】実施の形態５に係る告知放送システムの構成を示すブロック図である。
【発明を実施するための形態】
【００１９】
以下に添付図面を参照して、この発明に係る告知放送受信機の各実施の形態を詳細に説明する。最初にこの告知放送受信機の構成について説明し、次に告知放送受信機の動作について説明し、最後に各実施の形態に対する変形例について説明する。ただし、これら各実施の形態によって本発明が限定されるものではない。なお、各実施の形態に係る告知放送受信機の設置対象や適用対象は任意であるが、以下では、住戸の屋内に設置された告知放送受信機に適用した場合を例として説明を行う。
【００２０】
〔実施の形態１〕
まず、実施の形態１について説明する。この形態は、電界強度測定手段の測定結果に基づいて電源遮断制御を行う形態である。
【００２１】
（構成）
最初に、告知放送受信機の構成について説明する。図１は実施の形態１に係る告知放送受信機の構成を示すブロック図である。図１に示すように、告知放送受信機１は、告知放送系統１０と、ラジオ放送系統２０と、切替部３０ａ、３０ｂと、スピーカ４０と、操作部５０と、制御部６０とを備えている。
【００２２】
（構成−告知放送系統）
告知放送系統１０は、告知放送信号に対して受信処理及び出力処理を含む所定処理を行う放送系統である。図１に示すように、この告知放送系統１０は、入力端子１１と、バンドパスフィルタ（以下、ＢＰＦ）１２と、アンプ１３ａ、１３ｂと、自動利得回路（以下、ＡＧＣ）１４と、ミキサ１５と、発振器１６と、ディテクタ（以下、ＤＥＴ）１７とを図示のように接続して構成されている。
【００２３】
入力端子１１は、図示しない伝送線路を介して受信した告知放送信号及びラジオ放送信号の入力を受け付ける入力手段である。
ＢＰＦ１２は、入力端子１１に入力された告知放送信号及びラジオ放送信号のうち、所定帯域の信号のみを出力する濾過手段である。
アンプ１３ａは、ＢＰＦ１２から出力された信号を増幅する増幅手段である。
ＡＧＣ１４は、アンプ１３ａにて増幅された信号の自動利得調整を行う自動利得調整手段である。
アンプ１３ｂは、ＡＧＣ１４にて利得調整された信号を増幅する増幅手段である。
ミキサ１５は、アンプ１３ｂにて増幅された信号を信号処理が容易な所定の中間周波数信号に変換するもので、告知放送信号と発振器１６からの発信信号を入力し、その差の周波数の中間周波数信号を生成する。
発振器１６は、図示しない発振子を使用して基準発振周波数を制御するものである。
ＤＥＴ１７は、ミキサ１５にて生成された中間周波数信号の電界強度（例えばＲＳＳＩ（Ｒｅｃｅｉｖｅｄ Ｓｉｇｎａｌ Ｓｔｒｅｎｇｔｈ Ｉｎｄｉｃａｔｏｒ）レベル等）を測定する電界強度測定手段であり、告知放送系統１０に含まれる部品のうち最も下段側に設けられている。
【００２４】
（構成−ラジオ放送系統）
ラジオ放送系統２０は、ラジオ放送信号に対して受信処理及び出力処理を含む所定処理を行う放送系統である。図１に示すように、このラジオ放送系統２０は、入力端子２１と、ＢＰＦ２２と、ＦＭチューナ２３とを図示のように接続して構成されている。
【００２５】
入力端子２１は、図示しないアンテナから受信されたＦＭラジオ等のラジオ放送信号の入力を受け付ける入力手段である。
ＢＰＦ２２は、入力端子２１に入力されたラジオ放送信号のうち、所定帯域の信号のみを出力する濾過手段である。
ＦＭチューナ２３は、ＢＰＦ２２から出力された信号又はアンプ１３ａにて増幅された信号のうち所定周波数の信号を選択するための同調回路である。
【００２６】
（構成−切替部）
切替部３０ａ、３０ｂは、告知放送系統１０又はラジオ放送系統２０のいずれか一方を後述するスピーカ４０に対して選択的に切り替える切替手段である。
具体的には、図１に示すように、切替部３０ａは、アンプ１３ａ及びＢＰＦ２２よりも下段であり、且つＦＭチューナ２３よりも上段に設けられており、ＤＥＴ１７にて測定された中間周波数信号の電界強度に基づいて、アンプ１３ａ又はＢＰＦ２２のいずれか一方をＦＭチューナ２３に対して選択的に切り替える。
また、切替部３０ｂは、ＤＥＴ１７及びＦＭチューナ２３よりも下段であり、且つ後述するスピーカ４０よりも上段に設けられており、ＤＥＴ１７にて測定された中間周波数信号の電界強度又は後述する操作部５０の所定操作に基づいて、ＤＥＴ１７又はＦＭチューナ２３のいずれか一方を後述するスピーカ４０に対して選択的に切り替える。
以上のことから、これら切替部３０ａ、３０ｂの切り替え動作によって、ＤＥＴ１７から出力された中間周波数信号又はＦＭチューナ２３から出力された所定周波数の信号とのうちいずれか一方を選択的にスピーカ４０に出力させることができる。
【００２７】
（構成−スピーカ）
スピーカ４０は、後述する制御部６０の制御に基づいて各種の音声を出力する音声出力手段である。このスピーカ４０より出力される音声の具体的な出力態様は任意であり、例えば、告知放送信号に緊急放送が含まれている場合には、音声の種類や音量等を変えてもよい（具体的には、緊急放送を行う際に、スピーカ４０は、当該緊急放送をユーザに確実に報知するために、最大音量で出力する等）。
また、図１に示すように、このスピーカ４０の前段には、ＤＥＴ１７から出力された中間周波数信号又はＦＭチューナ２３から出力された所定周波数の信号を増幅するためのアンプ４１が設けられている。
【００２８】
（構成−操作部）
操作部５０は、ユーザによる操作入力を受け付ける操作手段である。この操作部５０の具体的な構成は任意であり、例えば、押しボタン、回転操作手段、あるいは、リモートコントローラの如き遠隔操作手段を用いて操作部５０を構成することができる。
【００２９】
（構成−制御部）
制御部６０は、告知放送受信機１の各部を制御する制御手段であり、具体的には、ＣＰＵ（例えばマイコン）、当該ＣＰＵ上で解釈実行される各種のプログラム（ＯＳなどの基本制御プログラムや、ＯＳ上で起動され特定機能を実現するアプリケーションプログラムを含む）、及びプログラムや各種の制御データを格納するためのＲＡＭの如き内部メモリを備えて構成されるコンピュータである。
【００３０】
また、図１に示すように、制御部６０は、機能概念的には、電源遮断制御部６１を備えて構成されている。この電源遮断制御部６１は、告知放送系統１０に含まれる複数の部品の少なくとも一部の電源を遮断する電源遮断制御を行う電源遮断制御手段である。ここで、「告知放送系統に含まれる複数の部品の少なくとも一部」とは、告知放送系統１０に含まれる複数の部品の一部であって、電源遮断制御部６１によって電源遮断制御の対象となる部品を意味し、具体的には、実施の形態１では、アンプ１３ａ、１３ｂ、ＡＧＣ１４、発振器１６、及びＤＥＴ１７が該当する。なお、この電源遮断制御部６１によって実行される制御の詳細については後述する。
【００３１】
（告知放送受信機の動作）
次に、このように構成された告知放送受信機１の動作について説明する。この告知放送受信機１の動作としては、告知放送ができる場合に告知放送を行う動作と、告知放送ができる場合にラジオ放送を行う動作と、告知放送ができない場合の動作との３つの動作を取り得る。なお、この告知放送受信機１においては、常時、告知放送信号及びラジオ放送信号が入力端子１１から図示しない伝送線路を介して入力されていると共に、ラジオ放送信号が入力端子２１から入力される。また、告知放送受信機１の電源が投入されると、当該告知放送受信機１に含まれるすべての部品の電源がＯＮされる。
【００３２】
（告知放送受信機の動作−告知放送ができる場合に告知放送を行う動作）
最初に、告知放送ができる場合に告知放送を行う動作について説明する。
まず、告知放送受信機１の電源が投入された後に、ユーザが操作部５０を用いて告知放送に切り替える操作を行うと、切替部３０ａによってアンプ１３ａとＦＭチューナ２３とが接続され、切替部３０ｂによってＤＥＴ１７とスピーカ４０とが接続される。
次に、入力端子１１に入力された告知放送信号は、ＢＰＦ１２によって所定帯域の信号のみ出力され、アンプ１３ａによって増幅された後、ＡＧＣ１４によって利得調整される。
次いで、この利得調整された信号は、アンプ１３ｂによって増幅された後、ミキサ１５によって中間周波数信号に変換されて、ＤＥＴ１７に向けて出力される。
続いて、ＤＥＴ１７から出力された中間周波数信号は、アンプ４１によって増幅されて、スピーカ４０によって出力される。
【００３３】
また、この動作において、入力端子１１に入力された告知放送信号は、ＤＥＴ１７によって検波される。そして、この検波された信号は、制御部６０に向けて出力される。
ここで、電源遮断制御部６１は、ＤＥＴ１７にて検波された信号の電磁強度を監視しており、ＤＥＴ１７にて検波された信号の電磁強度が所定値以上であった場合には、告知放送受信機１は告知放送を行うことができるので、告知放送受信機１に含まれるすべての部品の電源をＯＮ状態に維持する。
【００３４】
（告知放送受信機の動作−告知放送ができる場合にラジオ放送を行う動作）
次に、告知放送ができる場合にラジオ放送を行う動作について説明する。
まず、告知放送受信機１の電源が投入された後に、ユーザが操作部５０を用いてラジオ放送に切り替える操作を行うと、切替部３０ａによってアンプ１３ａとＦＭチューナ２３とが接続され、切替部３０ｂによってＦＭチューナ２３とスピーカ４０とが接続される。
次に、入力端子１１に入力されたラジオ放送信号は、ＢＰＦ１２によって所定帯域の信号のみ出力され、アンプ１３ａによって増幅される。
続いて、ＦＭチューナ２３によって、この増幅された信号のうち、所定周波数の信号のみが選択された後、この選択された所定周波数の信号は、アンプ４１によって増幅されて、スピーカ４０によって出力される。
【００３５】
また、この動作において、告知放送ができる場合に告知放送を行う動作で説明したのと同様に、電源遮断制御部６１による電磁強度の監視が行われ、告知放送受信機１に含まれるすべての部品の電源がＯＮ状態に維持される。
【００３６】
（告知放送受信機の動作−告知放送ができない場合の動作）
最後に、告知放送ができない場合の動作について説明する。なお、この動作は、告知放送受信機１の電源が投入された後に、ユーザが操作部５０を用いて告知放送（あるいは、ラジオ放送）に切り替える操作を行うことで、切替部３０ａによってアンプ１３ａとＦＭチューナ２３とが接続され、切替部３０ｂによってＤＥＴ１７（あるいは、ラジオ放送の場合には、ＦＭチューナ２３）とスピーカ４０とが接続される場合に、適用される動作である。
【００３７】
この動作において、告知放送受信機１の電源が投入されると、告知放送ができる場合に告知放送を行う動作で説明したのと同様に、電源遮断制御部６１による電磁強度の監視が行われる。
ここで、ＤＥＴ１７にて検波された信号の電磁強度が所定値より下回った場合には、告知放送受信機１は告知放送を行うことができないので、告知放送受信機１の消費電力を低減し、且つ、ＤＥＴ１７にて検波された信号の電磁強度を監視可能にするために、電源遮断制御部６１は、アンプ１３ａ、１３ｂ、ＡＧＣ１４、発振器１６、及びＤＥＴ１７の電源を断続的に遮断する（例えば、１ｍｓｅｃ間ごとに断続的に遮断する）。そして、これに伴って、電源遮断制御部６１は、切替部３０ａによってＢＰＦ２２をＦＭチューナ２３に対して接続させると共に、切替部３０ｂによってＦＭチューナ２３をスピーカ４０に対して接続させる。
次に、入力端子２１に入力されたラジオ放送信号は、ＢＰＦ２２によって所定帯域の信号のみ出力される。
続いて、ＦＭチューナ２３によって、この所定帯域の信号のうち、所定周波数の信号のみが選択され後、この選択された所定周波数の信号は、アンプ４１によって増幅されて、スピーカ４０によって出力される。
【００３８】
その後、アンプ１３ａ、１３ｂ、ＡＧＣ１４、発振器１６、及びＤＥＴ１７の電源が断続的に遮断されている場合において、ＤＥＴ１７の電源がＯＮ状態時に検波された信号の電界強度が所定値以上となった場合には、告知放送受信機１は告知放送を行うことができるので、電源遮断制御部６１は、アンプ１３ａ、１３ｂ、ＡＧＣ１４、発振器１６、及びＤＥＴ１７の電源をＯＮ状態に復帰させる。そして、これに伴って、告知放送受信機１の動作を、告知放送ができる場合に告知放送を行う動作に移行させるために、電源遮断制御部６１は、切替部３０ａによってアンプ１３ａをＦＭチューナ２３に対して接続させると共に、切替部３０ｂによってＤＥＴ１７をスピーカ４０に対して接続させる。
次に、入力端子１１に入力された告知放送信号は、ＢＰＦ１２によって所定帯域の信号のみ出力され、アンプ１３ａによって増幅された後、ＡＧＣ１４によって利得調整される。
次いで、この利得調整された信号は、アンプ１３ｂによって増幅された後、ミキサ１５によって中間周波数信号に変換されて、ＤＥＴ１７に向けて出力される。
続いて、ＤＥＴ１７から出力された中間周波数信号は、アンプ４１によって増幅されて、スピーカ４０によって出力される。
【００３９】
（効果）
このように実施の形態１によれば、電源遮断制御を行うための所定条件が充足したか否かを、告知放送系統１０にて受信された告知放送信号に基づいて判定し、当該所定条件が充足した場合に電源遮断制御を行う電源遮断制御部６１を備えたので、告知放送信号に応じて電源遮断制御を自動的に行うことができ、告知放送系統１０に含まれる複数の部品に対して電力が常時供給されている場合に比べて、消費電力を低減することができる。特に、停電時において電源遮断制御を行うことで、図示しない告知放送受信機１のバックアップ電源（具体的には、乾電池等）の待機時間を長くすることができる。
【００４０】
また、告知放送系統１０にて受信された告知放送信号に基づいて、告知放送系統１０又はラジオ放送系統２０のいずれか一方をスピーカ４０に対して選択的に切り替える切替部３０ａ、３０ｂを備えたので、告知放送信号に応じて告知放送系統１０又はラジオ放送系統２０の切り替えを自動的に行うことができ、使用性を向上させることができる。
【００４１】
また、告知放送系統１０は、アンプ１３ａ、１３ｂ、ＡＧＣ１４、発振器１６、及びミキサ１５よりも下段側においてＤＥＴ１７を有し、電源遮断制御部６１は、ＤＥＴ１７にて検波された信号の電界強度が所定値よりも下回った場合に、電源遮断制御を断続的に行うので、中間周波数信号の電界強度に応じて電源遮断制御を自動的に行うことができ、消費電力を効果的に低減することができる。
また、電源遮断制御部６１によってアンプ１３ａ、１３ｂ、ＡＧＣ１４、発振器１６、及びＤＥＴ１７の電源が断続的に遮断されている場合において、ＤＥＴ１７にて検波された中間周波数信号の電界強度が所定値以上となった場合に、アンプ１３ａ、１３ｂ、ＡＧＣ１４、発振器１６、及びＤＥＴ１７の電源を常時供給状態に復帰させるので、ＤＥＴ１７による信号の電界強度の測定を継続させながら、アンプ１３ａ、１３ｂ、ＡＧＣ１４、発振器１６、及びＤＥＴ１７の電源を復帰させるための特別な部品を設けることなく、アンプ１３ａ、１３ｂ、ＡＧＣ１４、発振器１６、及びＤＥＴ１７の電源を復帰させることができ、製造コストを低減することできる。
【００４２】
〔実施の形態２〕
次に、実施の形態２について説明する。この形態は、検知手段の検知結果に基づいて電源遮断制御を行う形態である。なお、特に説明なき構造については、実施の形態１の構造と同様であり、実施の形態１と略同様の構成要素、及び動作については、必要に応じて、実施の形態１で用いたのと同一の符号又は名称を付してその説明を省略する。
【００４３】
（構成）
図２は実施の形態２に係る告知放送受信機の構成を示すブロック図である。図２に示すように、実施の形態２に係る告知放送受信機１０１は、実施の形態１の告知放送受信機１の構成要素に対して、さらに検知部７０を加え、ＤＥＴ１７を省略して構成されている。
ここで、切替部３０ａは、検知部７０の検知結果（より具体的には、後述するように、告知放送受信機１０１に対して図示しない伝送線路の取り付け操作又は取り外し操作がなされたか否かの検知結果）に基づいて、アンプ１３ａ又はＢＰＦ２２のいずれか一方をＦＭチューナ２３に対して選択的に切り替える。
また、切替部３０ｂは、検知部７０の検知結果又は操作部５０の所定操作に基づいて、ＤＥＴ１７又はＦＭチューナ２３のいずれか一方をスピーカ４０に対して選択的に切り替える。
【００４４】
（構成−検知部）
検知部７０は、告知放送受信機１０１と図示しない伝送線路とが接続状態であるか否かを検知する検知手段である。例えば、告知放送受信機１０１と図示しない伝送線路との接続構造が、告知放送受信機１０１に設けられた入力端子１１をピンジャックとして構成されており、図示しない伝送線路の端部に図示しないピンジャック端子が設けられている場合には、検知部７０は、この図示しないピンジャック端子が入力端子１１に対して接続されているか否かを検知する。
【００４５】
（告知放送受信機の動作）
次に、このように構成された告知放送受信機１０１の動作について説明する。
【００４６】
（告知放送受信機の動作−告知放送ができる場合に告知放送を行う動作）
最初に、告知放送ができる場合に告知放送を行う動作について説明する。
この動作において、実施の形態１の告知放送ができる場合に告知放送を行う動作で説明したのと同様に、告知放送受信機１０１の電源が投入された後に、ユーザが操作部５０を用いて告知放送に切り替える操作を行うと、切替部３０ａによってアンプ１３ａとＦＭチューナ２３とが接続されると共に、切替部３０ｂによってミキサ１５を介してアンプ１３ｂとスピーカ４０とが接続される。これにより、入力端子１１に入力された告知放送信号は、ミキサ１５、アンプ４１を介してスピーカ４０によって出力される。
【００４７】
また、この動作において、告知放送受信機１０１の電源が投入されると、電源遮断制御部６１は、検知部７０にて図示しないピンジャック端子が入力端子１１に対して接続されているか否かを監視する。
ここで、検知部７０にて図示しないピンジャック端子が入力端子１１に対して接続されていると検知された場合には、電源遮断制御部６１は、告知放送受信機１０１に含まれるすべての部品の電源をＯＮ状態に維持する。
【００４８】
（告知放送受信機の動作−告知放送ができる場合にラジオ放送を行う動作）
次に、告知放送ができる場合にラジオ放送を行う動作について説明する。
この動作において、実施の形態１の告知放送ができる場合にラジオ放送を行う動作で説明したのと同様に、告知放送受信機１０１の電源が投入された後に、ユーザが操作部５０を用いてラジオ放送に切り替える操作を行うと、切替部３０ａによってアンプ１３ａとＦＭチューナ２３とが接続され、切替部３０ｂによってＦＭチューナ２３とスピーカ４０とが接続される。これにより、入力端子１１に入力されたラジオ放送信号は、ＦＭチューナ２３を介してスピーカ４０によって出力される。
【００４９】
また、この動作において、実施の形態２の告知放送ができる場合に告知放送を行う動作で説明したのと同様に、電源遮断制御部６１による入力端子１１の監視が行われ、告知放送受信機１０１に含まれるすべての部品の電源がＯＮ状態に維持される。
【００５０】
（告知放送受信機の動作−告知放送ができない場合の動作）
最後に、告知放送ができない場合の動作について説明する。なお、この動作は、実施の形態１の告知放送ができない場合の動作と同様に、告知放送受信機１０１の電源が投入された後に、ユーザが操作部５０を用いて告知放送（あるいは、ラジオ放送）に切り替える操作を行い、切替部３０ａによってアンプ１３ａとＦＭチューナ２３とが接続され、切替部３０ｂによってアンプ１３ｂ、ミキサ１５（あるいは、ラジオ放送の場合には、ＦＭチューナ２３）とスピーカ４０とが接続される場合に、適用される動作である。
【００５１】
この動作において、告知放送受信機１０１の電源が投入されると、実施の形態２の告知放送ができる場合に告知放送を行う動作で説明したのと同様に、電源遮断制御部６１による入力端子１１の監視が行われる。
ここで、ユーザによって図示しない伝送線路が告知放送受信機１０１から取り外されたことで、検知部７０にて図示しないピンジャック端子が入力端子１１に対して接続されていないと検知された場合には、電源遮断制御部６１は、アンプ１３ａ、１３ｂ、ＡＧＣ１４及び発振器１６の電源を遮断する。そして、これに伴って、実施の形態１の告知放送ができない場合の動作で説明したのと同様に、電源遮断制御部６１は、切替部３０ａによってＢＰＦ２２をＦＭチューナ２３に対して接続させると共に、切替部３０ｂによってＦＭチューナ２３をスピーカ４０に対して接続させる。これにより、入力端子２１に入力されたラジオ信号は、ＦＭチューナ２３を介してスピーカ４０によって出力される。
【００５２】
その後、ユーザによって図示しない伝送線路が告知放送受信機１０１に再び取り付けられることで、検知部７０にて図示しないピンジャック端子が入力端子１１に対して接続されていると検知された場合には、電源遮断制御部６１は、アンプ１３ａ、１３ｂ、ＡＧＣ１４及び発振器１６の電源をＯＮ状態に復帰させる。そして、これに伴って、実施の形態１の告知放送ができない場合の動作で説明したのと同様に、電源遮断制御部６１は、切替部３０ａによってアンプ１３ａをＦＭチューナ２３に対して接続させると共に、切替部３０ｂによってミキサ１５を介してアンプ１３ｂをスピーカ４０に対して接続させる。これにより、入力端子１１に入力された告知放送信号は、アンプ１３ｂ、４１を介してスピーカ４０によって出力される。
【００５３】
（効果）
このように実施の形態２によれば、電源遮断制御を行うための所定条件が充足したか否かを、告知放送系統１０に関する所定操作に基づいて判定し、当該所定条件が充足した場合に電源遮断制御を行う電源遮断制御部６１を備えたので、告知放送系統１０に関する所定操作に応じて電源遮断制御を自動的に行うことができ、告知放送系統１０に含まれる複数の部品に対して電力が常時供給されている場合に比べて、消費電力を低減することができる。
【００５４】
また、告知放送系統１０に関する所定操作に基づいて、告知放送系統１０又はラジオ放送系統２０のいずれか一方をスピーカ４０に対して選択的に切り替える切替部３０ａ、３０ｂを備えたので、告知放送系統１０に関する所定操作に応じて告知放送系統１０又はラジオ放送系統２０の切り替えを自動的に行うことができ、使用性を向上させることができる。
【００５５】
また、電源遮断制御部６１は、検知部７０により告知放送受信機１０１と図示しない伝送線路とが接続状態でないと検知された場合に、電源遮断制御を行うので、検知部７０の検知結果に応じて電源遮断制御を自動的に行うことができ、図示しない伝送線路が告知放送受信機１０１から取り外されている間は消費電力を効果的に低減することができる。
【００５６】
〔実施の形態３〕
次に、実施の形態３について説明する。この形態は、電源切替手段の切り替え操作に基づいて電源遮断制御を行う形態である。なお、特に説明なき構造については、実施の形態１の構造と同様であり、実施の形態１と略同様の構成要素、及び動作については、必要に応じて、実施の形態１で用いたのと同一の符号又は名称を付してその説明を省略する。
【００５７】
（構成）
図３は実施の形態３に係る告知放送受信機の構成を示すブロック図である。図３に示すように、実施の形態３に係る告知放送受信機２０１は、実施の形態１の告知放送受信機１の構成要素に対して、さらに操作部５０に電源切替部５１を加え、ＤＥＴ１７を省略して構成されている。
ここで、切替部３０ａは、電源切替部５１の切り替え操作に基づいて、アンプ１３ａ又はＢＰＦ２２のいずれか一方をＦＭチューナ２３に対して選択的に切り替える。
また、切替部３０ｂは、電源切替部５１の切り替え操作又は操作部５０の所定操作に基づいて、ミキサ１５又はＦＭチューナ２３のいずれか一方をスピーカ４０に対して選択的に切り替える。
また、電源遮断制御部６１は、告知放送系統１０に含まれる複数の部品の少なくとも一部の電源、又はラジオ放送系統２０に含まれる複数の部品の少なくとも一部の電源を遮断する電源遮断制御を行う。なお、「ラジオ放送系統に含まれる複数の部品の少なくとも一部」とは、ラジオ放送系統２０に含まれる複数の部品の一部であって、電源遮断制御部６１によって電源遮断制御の対象となる部品を意味し、具体的には、実施の形態３では、ＦＭチューナ２３が該当する。
【００５８】
（構成−電源切替部）
電源切替部５１は、ラジオ放送系統２０の電源のみをＯＮ、告知放送系統１０の電源のみをＯＮ、又は、告知放送系統１０とラジオ放送系統２０との電源をＯＮに切り替える電源切替手段である。
ここで、「ラジオ放送系統の電源のみをＯＮに切り替える」とは、ラジオ放送系統２０に含まれる複数の部品のすべての電源がＯＮされ、告知放送系統１０に含まれる複数の部品の少なくとも一部の電源が遮断されるように、電源切替部５１を切り替えることを意味する。具体的には、実施の形態３では、ＦＭチューナ２３の電源がＯＮにされ、アンプ１３ａ、１３ｂ、ＡＧＣ１４及び発振器１６の電源が遮断される。
また、「告知放送系統の電源のみをＯＮに切り替える」とは、告知放送系統１０に含まれる複数の部品のすべての電源がＯＮされ、ラジオ放送系統２０に含まれる複数の部品の少なくとも一部の電源が遮断されるように、電源切替部５１を切り替えることを意味する。具体的には、実施の形態３では、ＦＭチューナ２３の電源が遮断され、アンプ１３ａ、１３ｂ、ＡＧＣ１４及び発振器１６の電源がＯＮされる。
また、「告知放送系統とラジオ放送系統との電源をＯＮに切り替える」とは、告知放送系統１０及びラジオ放送系統２０に含まれる複数の部品のすべての電源がＯＮされるように、電源切替部５１を切り替えることを意味する。具体的には、実施の形態３では、アンプ１３ａ、１３ｂ、ＡＧＣ１４及び発振器１６の電源、並びに、ＦＭチューナ２３の電源がＯＮされる。
【００５９】
また、この電源切替部５１の具体的な構成は任意であり、例えば、上述した３つの段階に切り替え可能な押しボタン型のスイッチ、あるいは回転操作型のスイッチを用いて電源切替部５１を構成することができる。
【００６０】
（告知放送受信機の動作）
次に、このように構成された告知放送受信機２０１の動作について説明する。
【００６１】
（告知放送受信機の動作−告知放送ができる場合に告知放送を行う動作）
最初に、告知放送ができる場合に告知放送を行う動作について説明する。
この動作において、告知放送受信機２０１の電源が投入された後に、ユーザが操作部５０を用いて告知放送に切り替える操作を行うと、電源遮断制御部６１は、電源切替部５１の切り替え状態を監視する。
ここで、ユーザの電源切替部５１の操作によって、「告知放送系統１０の電源のみがＯＮ」となるように切り替えられた場合には、告知放送受信機２０１はラジオ放送を行う必要がないので、ラジオ放送系統２０の消費電力を低減するために、電源遮断制御部６１は、ＦＭチューナ２３の電源を遮断する。そして、これに伴って、電源遮断制御部６１は、切替部３０ａによってアンプ１３ａをＦＭチューナ２３に対して接続させると共に、切替部３０ｂによってミキサ１５をスピーカ４０に対して接続させる。これにより、入力端子１１に入力された告知放送信号は、ミキサ１５を介してスピーカ４０によって出力される。
【００６２】
また、ユーザの電源切替部５１の操作によって、「告知放送系統１０とラジオ放送系統２０との電源がＯＮ」となるように切り替えられた場合には、電源遮断制御部６１は、アンプ１３ａ、１３ｂ、ＡＧＣ１４及び発振器１６の電源、並びに、ＦＭチューナ２３の電源をＯＮする。そして、これに伴って、上述した「告知放送系統１０の電源のみがＯＮ」となるように切り替えられた場合と同様に、電源遮断制御部６１は、切替部３０ａによってアンプ１３ａとＦＭチューナ２３とを接続させると共に、切替部３０ｂによってミキサ１５とスピーカ４０とを接続させる。これにより、入力端子１１に入力された告知放送信号は、ミキサ１５を介してスピーカ４０によって出力される。
【００６３】
（告知放送受信機の動作−告知放送ができる場合にラジオ放送を行う動作）
次に、告知放送ができる場合に告知放送を行う動作について説明する。
この動作において、告知放送受信機２０１の電源が投入された後に、ユーザが操作部５０を用いてラジオ放送に切り替える操作を行うと、電源遮断制御部６１は、電源切替部５１の切り替え状態を監視する。
ここで、ユーザの電源切替部５１の操作によって、「告知放送系統１０とラジオ放送系統２０との電源がＯＮ」となるように切り替えられた場合には、電源遮断制御部６１は、アンプ１３ａ、１３ｂ、ＡＧＣ１４及び発振器１６の電源、並びに、ＦＭチューナ２３の電源をＯＮする。そして、これに伴って、電源遮断制御部６１は、切替部３０ａによってアンプ１３ａをＦＭチューナ２３に対して接続させると共に、切替部３０ｂによってＦＭチューナ２３をスピーカ４０に対して接続させる。これにより、入力端子１１に入力されたラジオ放送信号は、ＦＭチューナ２３を介してスピーカ４０によって出力される。
【００６４】
（告知放送受信機の動作−告知放送ができない場合の動作）
最後に、告知放送ができない場合の動作について説明する。
この動作において、告知放送受信機２０１の電源が投入された後に、ユーザが操作部５０を用いてラジオ放送に切り替える操作を行うと、電源遮断制御部６１は、電源切替部５１の切り替え状態を監視する。
ここで、ユーザの電源切替部５１の操作によって、「ラジオ放送系統２０の電源のみがＯＮ」となるように切り替えられた場合には、告知放送受信機２０１は告知放送を行う必要がないので、告知放送系統１０の消費電力を低減するために、電源遮断制御部６１は、アンプ１３ａ、１３ｂ、ＡＧＣ１４及び発振器１６の電源を遮断する。そして、これに伴って、電源遮断制御部６１は、切替部３０ａによってＢＰＦ２２をＦＭチューナ２３に対して接続させると共に、切替部３０ｂによってＦＭチューナ２３をスピーカ４０に対して接続させる。これにより、入力端子２１に入力されたラジオ放送信号は、ＦＭチューナ２３を介してスピーカ４０によって出力される。
【００６５】
（効果）
このように実施の形態３によれば、告知放送系統１０又はラジオ放送系統２０に関する所定操作に基づいて、告知放送系統１０又はラジオ放送系統２０のいずれか一方をスピーカ４０に対して選択的に切り替える切替部３０ａ、３０ｂを備えたので、告知放送系統１０又はラジオ放送系統２０に関する所定操作に応じて告知放送系統１０又はラジオ放送系統２０の切り替えを自動的に行うことができ、使用性を向上させることができる。
【００６６】
また、電源遮断制御部６１は、電源切替部５１によってラジオ放送系統２０の電源のみがＯＮに切り替えられた場合に、アンプ１３ａ、１３ｂ、ＡＧＣ１４及び発振器１６の電源を遮断し、電源切替部５１によって告知放送系統１０の電源のみがＯＮに切り替えられた場合に、ＦＭチューナ２３の電源を遮断するので、電源切替部５１の切り替え操作に基づいてアンプ１３ａ、１３ｂ、ＡＧＣ１４及び発振器１６の電源、又は、ＦＭチューナ２３の電源を遮断でき、ユーザのニーズに応じた電源遮断制御を行うことができる。
【００６７】
〔実施の形態４〕
次に、実施の形態４について説明する。この形態は、レベル測定手段の測定結果に基づいて電源遮断制御を行う形態である。なお、特に説明なき構造については、実施の形態１の構造と同様であり、実施の形態１と略同様の構成要素、及び動作については、必要に応じて、実施の形態１で用いたのと同一の符号又は名称を付してその説明を省略する。
【００６８】
（構成）
図４は実施の形態４に係る告知放送受信機の構成を示すブロック図である。図４に示すように、実施の形態４に係る告知放送受信機３０１は、実施の形態１の告知放送受信機１の構成要素に対して、さらにレベル測定部８０を加え、ＤＥＴ１７を省略して構成されている。
ここで、切替部３０ａは、レベル測定部８０にて測定された信号のレベルに基づいて、アンプ１３ａ又はＢＰＦ２２のいずれか一方をＦＭチューナー２３に対して選択的に切り替える。
また、切替部３０ｂは、レベル測定部８０にて測定された信号のレベル又は操作部５０の所定操作に基づいて、アンプ１３ｂ又はＦＭチューナ２３のいずれか一方をスピーカ４０に対して選択的に切り替える。
【００６９】
（構成−レベル測定部）
レベル測定部８０は、告知放送信号のレベルを測定するレベル測定手段であり、告知放送系統１０の部品の一部である。具体的には、図４に示すように、レベル測定部８０は、ＢＰＦ１２近傍において、ＢＰＦ１２とアンプ１３ａとの相互間に設けられた図示しない分岐器によって分岐された告知放送信号のレベルを測定する。このレベル測定部８０の具体的な構成は任意であり、例えば、公知の検波器を用いてレベル測定部８０を構成することができる（後述する実施の形態５のレベル測定部８０についても同様）。
【００７０】
（告知放送受信機の動作）
次に、このように構成された告知放送受信機３０１の動作について説明する。
【００７１】
（告知放送受信機の動作−告知放送ができる場合に告知放送を行う動作）
最初に、告知放送ができる場合に告知放送を行う動作について説明する。
この動作において、実施の形態１の告知放送ができる場合に告知放送を行う動作で説明したのと同様に、告知放送受信機３０１の電源が投入された後に、ユーザが操作部５０を用いて告知放送に切り替える操作を行うと、切替部３０ａによってアンプ１３ａとＦＭチューナ２３とが接続されると共に、切替部３０ｂによってミキサ１５を介してアンプ１３ｂとスピーカ４０とが接続される。これにより、入力端子１１に入力された告知放送信号は、アンプ１３ｂを介してスピーカ４０によって出力される。
【００７２】
また、この動作において、告知放送受信機３０１の電源が投入されると、電源遮断制御部６１は、レベル測定部８０にて測定された告知放送信号のレベルを監視する。
ここで、レベル測定部８０にて測定された告知放送信号のレベルが所定値以上である場合には、電源遮断制御部６１は、告知放送受信機３０１に含まれるすべての部品の電源をＯＮ状態に維持する。
【００７３】
（告知放送受信機の動作−告知放送ができる場合にラジオ放送を行う動作）
次に、告知放送ができる場合にラジオ放送を行う動作について説明する。
この動作において、実施の形態１の告知放送ができる場合にラジオ放送を行う動作で説明したのと同様に、告知放送受信機３０１の電源が投入された後に、ユーザが操作部５０を用いてラジオ放送に切り替える操作を行うと、切替部３０ａによってアンプ１３ａとＦＭチューナ２３とが接続され、切替部３０ｂによってＦＭチューナ２３とスピーカ４０とが接続される。これにより、入力端子１１に入力されたラジオ放送信号は、ＦＭチューナ２３を介してスピーカ４０によって出力される。
【００７４】
また、この動作において、実施の形態４の告知放送ができる場合に告知放送を行う動作で説明したのと同様に、電源遮断制御部６１によるレベルの監視が行われ、告知放送受信機３０１に含まれるすべての部品の電源がＯＮ状態に維持される。
【００７５】
（告知放送受信機の動作−告知放送ができない場合の動作）
最後に、告知放送ができない場合の動作について説明する。なお、この動作は、実施の形態１の告知放送ができない場合の動作と同様に、告知放送受信機３０１の電源が投入された後に、ユーザが操作部５０を用いて告知放送（あるいは、ラジオ放送）に切り替える操作を行い、切替部３０ａによってアンプ１３ａとＦＭチューナ２３とが接続され、切替部３０ｂによってミキサ１５を介してアンプ１３ｂ（あるいは、ラジオ放送の場合には、ＦＭチューナ２３）とスピーカ４０とが接続される場合に、適用される動作である。
【００７６】
この動作において、告知放送受信機３０１の電源が投入されると、実施の形態４の告知放送ができる場合に告知放送を行う動作で説明したのと同様に、電源遮断制御部６１によるレベルの監視が行われる。
ここで、レベル測定部８０にて測定された告知放送信号のレベルが所定値より下回った場合には、電源遮断制御部６１は、アンプ１３ａ、１３ｂ、ＡＧＣ１４及び発振器１６の電源を遮断する。そして、これに伴って、実施の形態１の告知放送ができない場合の動作で説明したのと同様に、電源遮断制御部６１は、切替部３０ａによってＢＰＦ２２をＦＭチューナ２３に対して接続させると共に、切替部３０ｂによってＦＭチューナ２３をスピーカ４０に対して接続させる。これにより、入力端子２１に入力されたラジオ信号は、ＦＭチューナ２３を介してスピーカ４０によって出力される。
【００７７】
その後、電源遮断制御部６１によってアンプ１３ａ、１３ｂ、ＡＧＣ１４、発振器１６、及びＤＥＴ１７の電源が遮断されている場合であって、レベル測定部８０にて測定された告知放送信号のレベルが所定値以上となった場合には、電源遮断制御部６１は、アンプ１３ａ、１３ｂ、ＡＧＣ１４及び発振器１６の電源をＯＮ状態に復帰させる。そして、これに伴って、実施の形態１の告知放送ができない場合の動作で説明したのと同様に、電源遮断制御部６１は、切替部３０ａによってアンプ１３ａをＦＭチューナ２３に対して接続させると共に、切替部３０ｂによってミキサ１５を介してアンプ１３ｂをスピーカ４０に対して接続させる。これにより、入力端子１１に入力された告知放送信号は、アンプ１３ｂを介してスピーカ４０によって出力される。
【００７８】
（効果）
このように実施の形態４によれば、告知放送系統１０は、アンプ１３ａ、１３ｂ、ＡＧＣ１４及び発振器１６よりも上段側においてレベル測定部８０を有し、電源遮断制御部６１は、レベル測定部８０にて測定された告知放送信号のレベルが所定値よりも下回った場合に、電源遮断制御を行うので、レベル測定部８０にて測定された信号のレベルに応じて電源遮断制御を自動的に行うことができ、消費電力を効果的に低減することができる。また、レベル測定部８０による信号のレベル測定を継続することができるので、レベル測定部８０にて測定された告知放送信号のレベルが所定値以上となった場合に、電源遮断制御の対象となる部品の電源をＯＮ状態に復帰させることができる。そのため、電源遮断制御の対象となる部品の電源を復帰させるための特別な部品を設ける必要がないので、製造コストを低減することできる。
〔実施の形態５〕
次に、実施の形態５について説明する。この形態は、告知放送信号の受信状態を表示する表示手段を備えた形態である。なお、特に説明なき構造については、実施の形態３の構造と同様であり、実施の形態３と略同様の構成要素、及び、動作については、必要に応じて、実施の形態３で用いたのと同一の符号又は名称を付してその説明を省略する。
【００７９】
（構成）
図５は実施の形態５に係る告知放送受信機の構成を示すブロック図である。図５に示すように、実施の形態５に係る告知放送受信機４０１は、実施の形態３の告知放送受信機２０１の構成要素に対して、さらにレベル測定部８０と、表示部９０とを加えて構成されている。
ここで、切替部３０ａは、電源切替部５１の切り替え操作に基づいて、アンプ１３ａ又はＢＰＦ２２のいずれか一方をＦＭチューナ２３に対して選択的に切り替える。
また、切替部３０ｂは、電源切替部５１の切り替え操作又は操作部５０の所定操作に基づいて、アンプ１３ｂ又はＦＭチューナ２３のいずれか一方をスピーカ４０に対して選択的に切り替える。
なお、レベル測定部８０は、上述した実施の形態４のレベル測定部８０と同様のものであるので、このレベル測定部８０の構成の説明を省略する。
【００８０】
（構成−表示部）
表示部９０は、告知放送信号の受信状態を表示する表示手段である。この表示部９０の具体的な構成は任意であり、例えば公知のＬＥＤランプ、蛍光ランプ等を用いて表示部９０を構成することができる。
【００８１】
（告知放送受信機の動作）
次に、このように構成された告知放送受信機４０１の動作について説明する。なお、この動作は、実施の形態３の告知放送ができない場合の動作に適用される動作である。
【００８２】
この動作において、告知放送受信機４０１の電源が投入された後に、ユーザが操作部５０を用いてラジオ放送に切り替える操作を行うと、電源遮断制御部６１は、電源切替部５１の切り替え状態を監視すると共に、レベル測定部８０にて測定された告知放送信号のレベルを監視する。
ここで、ユーザの電源切替部５１の操作によってラジオ放送系統２０の電源のみがＯＮに切り替えられた場合には、実施の形態３の告知放送ができない場合の動作で説明したのと同様に、電源遮断制御部６１は、アンプ１３ａ、１３ｂ、ＡＧＣ１４及び発振器１６の電源を遮断して、切替部３０ａ、３０ｂの切り替え制御を行った後に、スピーカ４０によって、入力端子２１に入力されたラジオ放送信号をＦＭチューナ２３を介して出力させる。
またこのときに、レベル測定部８０にて測定された告知放送信号のレベルが所定値よりも下回っていた場合には、ユーザに対して告知放送受信機４０１が告知放送信号を受信していないことを知らせるために、電源遮断制御部６１は、表示部９０によって、告知放送信号を受信していない旨を表示させる（具体的には、表示部９０を消灯、又は点滅させる）。
【００８３】
また一方で、レベル測定部８０にて測定された告知放送信号のレベルが所定値以上であった場合には、ユーザに対して告知放送受信機４０１が告知放送信号を受信していることを知らせるために、電源遮断制御部６１は、表示部９０によって、告知放送信号を受信している旨を表示させる（具体的には、表示部９０を点灯、又は告知放送信号を受信していない旨を表示する場合とは異なる間隔で点滅させる）。
【００８４】
（効果）
このように実施の形態５によれば、電源遮断制御部６１は、電源切替部５１によってラジオ放送系統２０の電源のみがＯＮに切り替えられている場合において、レベル測定部８０にて測定された告知放送信号のレベルが所定値以上となった場合に、表示部９０によって、告知放送信号を受信している旨を表示させるので、ラジオ放送系統２０の電源のみがＯＮされている場合において、ユーザに対して告知放送信号を受信している旨を提示でき、緊急放送等の聞き逃しを防止することができる。
【００８５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００８７】
（分散や統合について）
上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。
【００８８】
（電源遮断制御の対象について）
各実施の形態では、告知放送系統１０に含まれる複数の部品のうち、電源遮断制御の対象となるのは、アンプ１３ａ、１３ｂ、ＡＧＣ１４、発振器１６、及びＤＥＴ１７であると説明したが、これに限られない。例えば、この電源遮断制御の対象をアンプ１３ａ、１３ｂ、及びＡＧＣ１４としてもよい。
【００８９】
（告知放送受信機の構成について）
実施の形態１、２、４では、告知放送受信機は、ラジオ放送系統２０を備えていると説明したが、例えばラジオ放送系統２０を省略してもよい。この場合において、電源遮断制御の対象については、アンプ１３ａ、１３ｂ、ＡＧＣ１４、発振器１６、及びＤＥＴ１７に限られず、例えば、上述した部品に加えて、アンプ４１、及びスピーカ４０も電源遮断制御の対象としてもよい。
【００９０】
（各実施の形態の相互の組み合わせについて）
各実施の形態１から５の構成や制御を、相互に組み合わせてもよい。例えば、実施の形態４の告知放送受信機３０１に、実施の形態２における検知部７０を組み合わせてもよい。
この場合において、電源遮断制御部６１は、レベル測定部８０にて測定された信号のレベルと、検知部７０にて告知放送受信機１と図示しない伝送線路との接続状態とを監視しており、レベル測定部８０にて測定された信号のレベルが所定値より下回った場合、又は、検知部７０により告知放送受信機１と図示しない伝送線路とが接続状態でないと検知された場合には、電源遮断制御部６１は、アンプ１３ａ、１３ｂ、ＡＧＣ１４、発振器１６、及びＤＥＴ１７の電源を遮断する。
また、電源遮断制御部６１によってアンプ１３ａ、１３ｂ、ＡＧＣ１４、発振器１６、及びＤＥＴ１７の電源が遮断されている場合において、レベル測定部８０にて測定された信号のレベルが所定値以上となり、且つ、検知部７０により告知放送受信機１と図示しない伝送線路とが接続状態であると検知された場合には、電源遮断制御部６１は、アンプ１３ａ、１３ｂ、ＡＧＣ１４、発振器１６、及びＤＥＴ１７の電源をＯＮ状態に復帰させる。
【００９１】
（告知放送受信機の動作について）
実施の形態５の告知放送受信機４０１の動作において、レベル測定部８０にて測定された信号のレベルが所定値以上となった場合に、電源遮断制御部６１は、表示部９０によって、告知放送信号を受信している旨を表示させると説明したが、例えば、スピーカ４０によって、告知放送信号を受信している旨を示す音（具体的には、「ピーピー」というブザー音）を出力させてもよい。
【００９２】
〔第１の付記〕
第１の付記１の告知放送受信機は、告知放送信号を伝送線路を介して受信して放送する告知放送受信機であって、前記告知放送信号に対して受信処理及び出力処理を含む所定処理を行う告知放送系統と、前記告知放送系統に含まれる複数の部品の少なくとも一部の電源を遮断する電源遮断制御を行う電源遮断制御手段であって、前記電源遮断制御を行うための所定条件が充足したか否かを、前記告知放送系統にて受信された前記告知放送信号、又は、前記告知放送系統に関する所定操作に基づいて判定し、当該所定条件が充足した場合に前記電源遮断制御を行う電源遮断制御手段と、を備えている。
【００９３】
また、第１の付記２の告知放送受信機は、第１の付記１に記載の告知放送受信機において、前記告知放送信号及びラジオ放送信号を受信して放送する告知放送受信機であって、前記ラジオ放送信号に対して受信処理及び出力処理を含む所定処理を行うラジオ放送系統と、音声を出力する音声出力手段と、前記告知放送系統にて受信された前記告知放送信号、又は、前記告知放送系統若しくは前記ラジオ放送系統に関する所定操作に基づいて、前記告知放送系統又は前記ラジオ放送系統のいずれか一方を前記音声出力手段に対して選択的に切り替える切替手段と、を備えている。
【００９４】
また、第１の付記３の告知放送受信機は、第１の付記２に記載の告知放送受信機において、前記ラジオ放送系統の電源のみをＯＮ、前記告知放送系統の電源のみをＯＮ、又は、前記告知放送系統と前記ラジオ放送系統との電源をＯＮに切り替える電源切替手段を備え、前記電源遮断制御手段は、前記電源切替手段によって前記ラジオ放送系統の電源のみがＯＮに切り替えられた場合に、前記電源遮断制御を行い、前記電源切替手段によって前記告知放送系統の電源のみがＯＮに切り替えられた場合に、前記ラジオ放送系統に含まれる複数の部品の少なくとも一部の電源を遮断する。
【００９５】
また、第１の付記４の告知放送受信機は、第１の付記１又は２に記載の告知放送受信機において、前記告知放送系統は、前記告知放送系統に含まれる複数の部品の一部であって、前記電源遮断制御手段によって電源遮断制御の対象となる部品よりも上段側において前記告知放送信号のレベルを測定するレベル測定手段を有し、前記電源遮断制御手段は、前記レベル測定手段にて測定された前記告知放送信号のレベルが所定値よりも下回った場合に、前記電源遮断制御を行う。
【００９６】
また、第１の付記５の告知放送受信機は、第１の付記３及び４に記載の告知放送受信機において、前記告知放送系統は、前記告知放送信号の受信状態を表示する表示手段を有し、前記電源遮断制御手段は、前記電源切替手段によって前記ラジオ放送系統の電源のみがＯＮに切り替えられている場合において、前記レベル測定手段にて測定された前記告知放送信号のレベルが所定値以上となった場合に、前記表示手段によって、前記告知放送信号を受信している旨を表示させる。
【００９７】
また、第１の付記６の告知放送受信機は、第１の付記１又は２に記載の告知放送受信機において、前記告知放送系統は、前記告知放送系統に含まれる複数の部品の一部であって、前記電源遮断制御手段によって電源遮断制御の対象となる部品よりも下段側において前記告知放送信号の電界強度を測定する電界強度測定手段を有し、前記電源遮断制御手段は、前記電界強度測定手段にて測定された前記告知放送信号の電界強度が所定値よりも下回った場合に、前記電源遮断制御を断続的に行い、当該電源遮断制御手段によって前記電源遮断制御の対象となる部品の電源が断続的に遮断されている場合において、前記電界強度測定手段にて測定された前記告知放送信号の電界強度が所定値よりも上回った場合に、当該電源遮断制御の対象となる部品の電源をＯＮ状態に復帰させる。
【００９８】
また、第１の付記７の告知放送受信機は、第１の付記１又は２に記載の告知放送受信機において、前記告知放送系統は、当該告知放送受信機と前記伝送線路とが接続状態であるか否かを検知する検知手段を有し、前記電源遮断制御手段は、前記検知手段により当該告知放送受信機と前記伝送線路とが接続状態でないと検知された場合に、前記電源遮断制御を行う。
【００９９】
〔第１の付記の効果〕
第１の付記１に記載の告知放送受信機によれば、電源遮断制御を行うための所定条件が充足したか否かを、告知放送系統にて受信された告知放送信号、又は、告知放送系統に関する所定操作に基づいて判定し、当該所定条件が充足した場合に電源遮断制御を行う電源遮断制御手段を備えたので、告知放送信号、又は告知放送系統に関する所定操作に応じて電源遮断制御を自動的に行うことができ、告知放送系統に含まれる複数の部品に対して電力が常時供給されている場合に比べて、消費電力を低減することができる。特に、停電時において電源遮断制御を行うことで、告知放送受信機のバックアップ電源の待機時間を長くすることができる。
【０１００】
また、第１の付記２に記載の告知放送受信機によれば、告知放送系統にて受信された告知放送信号、又は、告知放送系統若しくはラジオ放送系統に関する所定操作に基づいて、告知放送系統又はラジオ放送系統のいずれか一方を音声出力手段に対して選択的に切り替える切替手段を備えたので、告知放送信号、又は、告知放送系統若しくはラジオ放送系統に関する所定操作に応じて告知放送系統又はラジオ放送系統の切り替えを自動的に行うことができ、使用性を向上させることができる。
【０１０１】
また、第１の付記３に記載の告知放送受信機によれば、電源遮断制御手段は、電源切替手段によってラジオ放送系統の電源のみがＯＮに切り替えられた場合に、電源遮断制御を行い、電源切替手段によって告知放送系統の電源のみがＯＮに切り替えられた場合に、ラジオ放送系統に含まれる複数の部品の少なくとも一部の電源を遮断するので、電源切替手段の切り替え操作に基づいて、告知放送系統に含まれる複数の部品の少なくとも一部の電源、又はラジオ放送系統に含まれる複数の部品の少なくとも一部の電源を遮断でき、ユーザのニーズに応じた電源遮断制御を行うことができる。
【０１０２】
また、第１の付記４に記載の告知放送受信機によれば、告知放送系統は、電源遮断制御手段によって電源遮断制御の対象となる部品よりも上段側において告知放送信号のレベルを測定するレベル測定手段を有し、電源遮断制御手段は、レベル測定手段にて測定された告知放送信号のレベルが所定値よりも下回った場合に、電源遮断制御を行うので、レベル測定手段にて測定された告知放送信号のレベルに応じて電源遮断制御を自動的に行うことができ、消費電力を効果的に低減することができる。また、レベル測定手段による告知放送信号のレベル測定を継続できるので、レベル測定手段にて測定された告知放送信号のレベルが所定値以上となった場合に、電源遮断制御の対象となる部品の電源をＯＮ状態に復帰させることができる。そのため、電源遮断制御の対象となる部品の電源を復帰させるための特別な部品を設ける必要がないので、製造コストを低減することできる。
【０１０３】
また、第１の付記５に記載の告知放送受信機によれば、電源遮断制御手段は、電源切替手段によってラジオ放送系統の電源のみがＯＮに切り替えられている場合において、レベル測定手段にて測定された告知放送信号のレベルが所定値以上となった場合に、表示手段によって、告知放送信号を受信している旨を表示させるので、ラジオ放送系統の電源のみがＯＮされている場合において、ユーザに対して告知放送信号を受信している旨を提示でき、緊急放送等の聞き逃しを防止することができる。
【０１０４】
また、第１の付記６に記載の告知放送受信機によれば、告知放送系統は、電源遮断制御手段によって電源遮断制御の対象となる部品よりも下段側において告知放送信号の電界強度を測定する電界強度測定手段を有し、電源遮断制御手段は、電界強度測定手段にて測定された告知放送信号の電界強度が所定値よりも下回った場合に、電源遮断制御を断続的に行うので、告知放送信号の電界強度に応じて電源遮断制御を自動的に行うことができ、消費電力を効果的に低減することができる。
また、電源遮断制御手段によって電源遮断制御の対象となる部品の電源が断続的に遮断されている場合において、電界強度測定手段にて測定された告知放送信号の電界強度が所定値以上となった場合に、電源遮断制御の対象となる部品の電源をＯＮ状態に復帰させるので、電界強度測定手段による告知放送信号の電界強度の測定を継続させながら、電源遮断制御の対象となる部品の電源を復帰させるための特別な部品を設けることなく、電源遮断制御の対象となる部品の電源を復帰させることができ、製造コストを低減することできる。
【０１０５】
また、第１の付記７に記載の告知放送受信機によれば、電源遮断制御手段は、検知手段により告知放送受信機と伝送線路とが接続状態でないと検知された場合に、電源遮断制御を行うので、検知手段の検知結果に応じて電源遮断制御を自動的に行うことができ、伝送線路が告知放送受信機から取り外されている間は消費電力を効果的に低減することができる。
【０１０６】
〔第２の付記〕
第２の付記１の告知放送受信機は、告知放送信号を伝送線路を介して受信し、及び、告知放送信号とは異なる信号を受信して、放送する告知放送受信機であって、前記告知放送信号に対して受信処理及び出力処理を含む所定処理を行う告知放送系統であって、前記告知放送信号を含む信号が入力される第１入力手段を含む告知放送系統と、前記告知放送信号とは異なる信号に対して受信処理及び出力処理を含む所定処理を行う放送系統であって、前記告知放送信号が入力されず前記告知放送信号とは異なる信号が入力される第２入力手段を含む第２放送系統と、音声を出力する音声出力手段と、前記第１入力手段に入力されて前記告知放送系統にて受信された前記告知放送信号、又は、前記告知放送系統若しくは前記第２放送系統に関する所定操作に基づいて、前記告知放送系統又は前記第２放送系統のいずれか一方を前記音声出力手段に対して選択的に切り替える切替手段と、前記告知放送系統に含まれる複数の部品の少なくとも一部の電源を遮断する電源遮断制御を行う電源遮断制御手段であって、前記電源遮断制御を行うための所定条件が充足したか否かを、前記第１入力手段に入力されて前記告知放送系統にて受信された前記告知放送信号、又は、前記告知放送系統に関する所定操作に基づいて判定し、当該所定条件が充足した場合に前記電源遮断制御を行う電源遮断制御手段と、を備え、前記第１入力手段に入力されて前記告知放送系統にて受信された前記告知放送信号に基づく放送を前記告知放送受信機ができない場合、前記電源遮断制御手段は、前記所定条件が充足したものとして、前記電源遮断制御を行い、且つ、前記第２入力手段に入力されて前記第２放送系統にて受信された前記告知放送信号とは異なる信号に基づく放送を行うべく、前記第２放送系統を前記音声出力手段に対して切り替えるように、前記切替手段を制御する。
【０１０７】
第２の付記２の告知放送受信機は、第２の付記１に記載の告知放送受信機において、前記第２放送系統の電源のみをＯＮ、前記告知放送系統の電源のみをＯＮ、又は、前記告知放送系統と前記第２放送系統との電源をＯＮに切り替える電源切替手段を備え、前記電源遮断制御手段は、前記電源切替手段によって前記第２放送系統の電源のみがＯＮに切り替えられた場合に、前記電源遮断制御を行い、前記電源切替手段によって前記告知放送系統の電源のみがＯＮに切り替えられた場合に、前記第２放送系統に含まれる複数の部品の少なくとも一部の電源を遮断する。
【０１０８】
第２の付記３の告知放送受信機は、第２の付記１に記載の告知放送受信機において、前記告知放送系統は、前記告知放送系統に含まれる複数の部品の一部であって、前記電源遮断制御手段によって電源遮断制御の対象となる部品よりも上段側において前記告知放送信号のレベルを測定するレベル測定手段を有し、前記電源遮断制御手段は、前記レベル測定手段にて測定された前記告知放送信号のレベルが所定値よりも下回った場合に、前記電源遮断制御を行う。
【０１０９】
第２の付記４の告知放送受信機は、第２の付記２に記載の告知放送受信機において、前記告知放送系統は、前記告知放送系統に含まれる複数の部品の一部であって、前記電源遮断制御手段によって電源遮断制御の対象となる部品よりも上段側において前記告知放送信号のレベルを測定するレベル測定手段と、前記告知放送信号の受信状態を表示する表示手段と、を有し、前記電源遮断制御手段は、前記電源切替手段によって前記第２放送系統の電源のみがＯＮに切り替えられている場合において、前記レベル測定手段にて測定された前記告知放送信号のレベルが所定値以上となった場合に、前記表示手段によって、前記告知放送信号を受信している旨を表示させる。
【０１１０】
第２の付記５の告知放送受信機は、第２の付記１に記載の告知放送受信機において、前記告知放送系統は、前記告知放送系統に含まれる複数の部品の一部であって、前記電源遮断制御手段によって電源遮断制御の対象となる部品よりも下段側において前記告知放送信号の電界強度を測定する電界強度測定手段を有し、前記電源遮断制御手段は、前記電界強度測定手段にて測定された前記告知放送信号の電界強度が所定値よりも下回った場合に、前記電源遮断制御を断続的に行い、当該電源遮断制御手段によって前記電源遮断制御の対象となる部品の電源が断続的に遮断されている場合において、前記電界強度測定手段にて測定された前記告知放送信号の電界強度が所定値以上となった場合に、当該電源遮断制御の対象となる部品の電源をＯＮ状態に復帰させる。
【０１１１】
第２の付記６の告知放送受信機は、第２の付記１に記載の告知放送受信機において、前記告知放送系統は、当該告知放送受信機と前記伝送線路とが接続状態であるか否かを検知する検知手段を有し、前記電源遮断制御手段は、前記検知手段により当該告知放送受信機と前記伝送線路とが接続状態でないと検知された場合に、前記電源遮断制御を行う。
【０１１２】
〔第２の付記の効果〕
第２の付記１に記載の告知放送受信機によれば、電源遮断制御を行うための所定条件が充足したか否かを、告知放送系統にて受信された告知放送信号、又は、告知放送系統に関する所定操作に基づいて判定し、当該所定条件が充足した場合に電源遮断制御を行う電源遮断制御手段を備えたので、告知放送信号、又は告知放送系統に関する所定操作に応じて電源遮断制御を自動的に行うことができ、告知放送系統に含まれる複数の部品に対して電力が常時供給されている場合に比べて、消費電力を低減することができる。特に、停電時において電源遮断制御を行うことで、告知放送受信機のバックアップ電源の待機時間を長くすることができる。
また、告知放送系統にて受信された告知放送信号、又は、告知放送系統若しくは第２放送系統に関する所定操作に基づいて、告知放送系統又は第２放送系統のいずれか一方を音声出力手段に対して選択的に切り替える切替手段を備えたので、告知放送信号、又は、告知放送系統若しくは第２放送系統に関する所定操作に応じて告知放送系統又は第２放送系統の切り替えを自動的に行うことができ、使用性を向上させることができる。
【０１１３】
また、第２の付記２に記載の告知放送受信機によれば、電源遮断制御手段は、電源切替手段によって第２放送系統の電源のみがＯＮに切り替えられた場合に、電源遮断制御を行い、電源切替手段によって告知放送系統の電源のみがＯＮに切り替えられた場合に、第２放送系統に含まれる複数の部品の少なくとも一部の電源を遮断するので、電源切替手段の切り替え操作に基づいて、告知放送系統に含まれる複数の部品の少なくとも一部の電源、又は第２放送系統に含まれる複数の部品の少なくとも一部の電源を遮断でき、ユーザのニーズに応じた電源遮断制御を行うことができる。
【０１１４】
また、第２の付記３に記載の告知放送受信機によれば、告知放送系統は、電源遮断制御手段によって電源遮断制御の対象となる部品よりも上段側において告知放送信号のレベルを測定するレベル測定手段を有し、電源遮断制御手段は、レベル測定手段にて測定された告知放送信号のレベルが所定値よりも下回った場合に、電源遮断制御を行うので、レベル測定手段にて測定された告知放送信号のレベルに応じて電源遮断制御を自動的に行うことができ、消費電力を効果的に低減することができる。また、レベル測定手段による告知放送信号のレベル測定を継続できるので、レベル測定手段にて測定された告知放送信号のレベルが所定値以上となった場合に、電源遮断制御の対象となる部品の電源をＯＮ状態に復帰させることができる。そのため、電源遮断制御の対象となる部品の電源を復帰させるための特別な部品を設ける必要がないので、製造コストを低減することできる。
【０１１５】
また、第２の付記４に記載の告知放送受信機によれば、電源遮断制御手段は、電源切替手段によって第２放送系統の電源のみがＯＮに切り替えられている場合において、レベル測定手段にて測定された告知放送信号のレベルが所定値以上となった場合に、表示手段によって、告知放送信号を受信している旨を表示させるので、第２放送系統の電源のみがＯＮされている場合において、ユーザに対して告知放送信号を受信している旨を提示でき、緊急放送等の聞き逃しを防止することができる。
【０１１６】
また、第２の付記５に記載の告知放送受信機によれば、告知放送系統は、電源遮断制御手段によって電源遮断制御の対象となる部品よりも下段側において告知放送信号の電界強度を測定する電界強度測定手段を有し、電源遮断制御手段は、電界強度測定手段にて測定された告知放送信号の電界強度が所定値よりも下回った場合に、電源遮断制御を断続的に行うので、告知放送信号の電界強度に応じて電源遮断制御を自動的に行うことができ、消費電力を効果的に低減することができる。
また、電源遮断制御手段によって電源遮断制御の対象となる部品の電源が断続的に遮断されている場合において、電界強度測定手段にて測定された告知放送信号の電界強度が所定値以上となった場合に、電源遮断制御の対象となる部品の電源をＯＮ状態に復帰させるので、電界強度測定手段による告知放送信号の電界強度の測定を継続させながら、電源遮断制御の対象となる部品の電源を復帰させるための特別な部品を設けることなく、電源遮断制御の対象となる部品の電源を復帰させることができ、製造コストを低減することできる。
【０１１７】
また、第２の付記６に記載の告知放送受信機によれば、電源遮断制御手段は、検知手段により告知放送受信機と伝送線路とが接続状態でないと検知された場合に、電源遮断制御を行うので、検知手段の検知結果に応じて電源遮断制御を自動的に行うことができ、伝送線路が告知放送受信機から取り外されている間は消費電力を効果的に低減することができる。
【符号の説明】
【０１１８】
１、１０１、２０１、３０１、４０１  告知放送受信機
１０  告知放送系統
１１、２１  入力端子
１２、２２  ＢＰＦ
１３ａ、１３ｂ、４１  アンプ
１４  ＡＧＣ
１５  ミキサ
１６  発振器
１７  ＤＥＴ
２０  ラジオ放送系統
２３  ＦＭチューナ
３０ａ、３０ｂ  切替部
４０  スピーカ
５０  操作部
５１  電源切替部
６０  制御部
６１  電源遮断制御部
７０  検知部
８０  レベル測定部
９０  表示部
【図１】
2015228706.tif 000003
【図２】
2015228706.tif 000004
【図３】
2015228706.tif 000005
【図４】
2015228706.tif 000006
【図５】
2015228706.tif 000007